(57)【要約】【課題】使用者が電池を組み込む際に入れる方向を間違えたとき、電気的接続が形成されず、電気製品の破損を防ぐことができる、電池弾性接触端子を提供すること。【解決手段】電池弾性接触端子１０は、主に固定部２０、第一弾性アーム３０、及び絶縁部材５０を備えて構成されており、穿通エリア５１を設けた絶縁部材５０が第一弾性アーム３０上に固定されている。電池の突出した正極が電池弾性接触端子１０に接触するとき、突出した正極が第一弾性アーム３０の接触片３５に接触して電気的接続が形成され、使用者が電池を入れる方向を誤った場合は、電池の平らな負極が絶縁部材５０に阻隔されるため、電池弾性接触端子１０との電気的接続が形成されない。【選択図】図１
2008060052.tif 000002
【特許請求の範囲】
【請求項１】
突出した正極及び平らな負極を有する電池に対して接触させる電池弾性接触端子であって、
第一側及び第二側を含む固定部と、
第一接続部及び第一前端部を含む第一弾性アームと、
前記第一弾性アーム上に固定される絶縁部材とを含み、
前記第一接続部と前記第一側が接続され、
前記第一前端部が接触片を含み、
前記電池を前記電池弾性接触端子に組み込むときにおいて、前記突出した正極が前記電池弾性接触端子に組み込まれたときに、前記電池の前記突出した正極が前記第一弾性アームの前記接触片に接触可能となり、前記平らな負極が前記電池弾性接触端子に組み込まれたときに、前記電池の前記平らな負極が前記第一弾性アームの前記接触片に接触不能となること、
を特徴とする電池弾性接触端子。
【請求項２】
前記第一弾性アームの前記第一前端部が２つのスリットを含み、
前記第一前端部がさらに２つの張り出し片を含み、
前記接触片が前記２つの張り出し片の中央に位置する、
請求項１に記載の電池弾性接触端子。
【請求項３】
前記絶縁部材が穿通エリアを備え、
前記穿通エリアと同一平面上に前記接触片が位置する、
請求項１または２に記載の電池弾性接触端子。
【請求項４】
さらに第二弾性アームを含み、
前記第二弾性アームが第二接続部及び第二前端部を備え、
前記第二接続部と前記第二側が接続される、
請求項１から３のいずれか１項に記載の電池弾性接触端子。
【請求項５】
前記電池が前記電池弾性接触端子に組み込まれるとき、前記電池の突出した正極が前記第一弾性アームの前記接触片に接触可能である、
請求項１から４のいずれか１項に記載の電池弾性接触端子。
【請求項６】
突出した正極及び平らな負極を有する電池に対して接触させる電池弾性接触端子であって、
前記電池弾性接触端子が、第一側及び第二側を含む固定部と、前記第一側に接続される第一接続部及び第一前端部を含む第一弾性アームを含み、
前記第一前端部が、２つのスリット、接触片、及び２つの張り出し片を備え、
前記接触片が前記２つの張り出し片の中央に位置することを特徴とする、
電池弾性接触端子。
【請求項７】
さらに第二弾性アームを含み、
前記第二弾性アームが第二接続部及び第二前端部を含み、
前記第二接続部と前記第二側が接続される、
請求項６に記載の電池弾性接触端子。
【請求項８】
前記電池を前記電池弾性接触端子に組み込む際、前記電池の突出した正極または平らな負極が前記第一弾性アームの前記接触片に接触可能である、
請求項６または７に記載の電池弾性接触端子。
【発明の詳細な説明】
【技術分野】
【０００１】
本発明は電池弾性接触端子に関し、詳細には、突出した正極及び平らな負極を備える電池に対して用いる電池弾性接触端子に関する。
【背景技術】
【０００２】
電池式の電気製品には、電池の正極及び負極に接触可能な接触端子が設けられている。そして、使用者が電池を電気製品に組み込むことで、電池電力を接触端子を介して電気製品に供給することができる（例えば、特許文献１参照）。
【０００３】
【特許文献１】米国特許第６，０６８，５１９号明細書
【発明の開示】
【発明が解決しようとする課題】
【０００４】
しかしながら、一般に使用者が電池を電気製品に組み込むとき、容易に入れる方向を誤ってしまい、電気製品の破損につながることがある。また、電池の接触表面に雑物がつきやすく、電池と電池弾性接触端子の導電効果が悪くなってしまう。
【０００５】
本発明の主な目的は、一種の誤使用防止設計であって、使用者が電池を組み込む際に入れる方向を間違えたとき、電気的接続が形成されず、電気製品の破損を防ぐことができる、電池弾性接触端子を提供することにある。
【０００６】
本発明の別の主な目的は、使用者が電池を組み込む過程において、電池弾性接触端子が電池の接触表面上の雑物を掻き落とすことができる、電池弾性接触端子を提供することにある。
【課題を解決するための手段】
【０００７】
上述した課題を解決し、目的を達成するために、本発明の電池弾性接触端子は主に、固定部、第一弾性アーム、第二弾性アーム及び絶縁部材を含む。固定部、第一弾性アーム及び第二弾性アームは導電性の材質で成り、且つ、一体として接続される。
【０００８】
第一弾性アームの第一前端部は２つのスリットを含み、この第一前端部はさらに２つの張り出し片を備え、接触片がこれら２つの張り出し片の中央に位置し、これにより電池接触表面上の雑物の掻き落としが強化される。また、第二弾性アームは第一弾性アームの弾性を強化し接触片と電池の電気的接続を確保するほか、接触片が雑物の掻き落としを行うとき、掻き落とす力を強くすることができる。
【０００９】
穿通エリアを設けた絶縁部材は第一弾性アーム上に固定される。電池の突出した正極が電池弾性接触端子に接触するとき、突出した正極が接触片に接触する。但し、使用者が電池を入れる方向を誤った場合、電池の平らな負極が絶縁部材により阻隔されるため、電池は電池弾性接触端子と電気的接続を形成することができない。
【発明の効果】
【００１０】
この発明によれば、電池の突出した正極を下向きに入れて電池弾性接触端子に接触させ、突出した正極が第一弾性アームの第一前端部にある接触片に接触する当初の設計に対して、使用者が電池を組み込むときに入れる方向を誤った場合、電池の平らな負極が電池弾性接触端子に接触するが、第一弾性アーム上に固定された絶縁部材の隔離により、電池の平らな負極は接触片に接触することができないため、電池は電池弾性接触端子と電気的接続を形成することができない。これにより、使用者が電池を入れる方向を誤っても、電池の平らな負極は電池弾性接触端子と電気的接続が形成できなくなる。従って、電気製品の破損を防止することができる。
【００１１】
また、この発明によれば、電池の突出した正極が接触片に接触する過程において、接触片が電池の突出した正極上に付着した雑物（酸化した金属物質など、これら雑物は導電性に影響する）を掻き落とすことができる。
【００１２】
また、この発明によれば、第一弾性アームの第一前端部上に設けられた２つのスリットの設計により、接触片が雑物の掻き落としを行なうときに更に優れた効果が得られる。
【００１３】
また、この発明によれば、絶縁部材は穿通エリアを含んでおり、この穿通エリアの位置が接触片の位置を含んでいるため、使用者が電池を入れるとき、突出した正極を電池弾性接触端子に接触させ、突出した正極が接触片に接触するようにすることができる。
【００１４】
また、この発明によれば、電池弾性接触端子は第二弾性アームを備えているため、第一弾性アームの弾性を強化し接触片と電池の電気的接続を確保するほか、接触片が雑物を掻き落とすとき、その掻き落とす力を強化することができる。
【００１５】
また、この発明によれば、電池の平らな負極を接触させる電池弾性接触端子は絶縁部材を備えないため、平らな負極が接触片に接触するとき、接触片が平らな負極上の雑物を掻き落とすことができる。
【発明を実施するための最良の形態】
【００１６】
以下、本発明の技術内容についてより理解を促すため、具体的な実施の形態に基づき詳細に説明する。ただし、本発明は以下の実施の形態に限定されるものではない。
【００１７】
図１に電池弾性接触端子１０の立体分解図を示す。本発明の電池弾性接触端子１０は主に、固定部２０、第一弾性アーム３０、第二弾性アーム４０及び絶縁部材５０を含む。
【００１８】
固定部２０、第一弾性アーム３０及び第二弾性アーム４０は導電性の材質から成り、且つ、一体として接続される（一体成形を最良とする）。即ち、第一弾性アーム３０の第一接続部３１と固定部２０の第一側２１が接続され、第二弾性アーム４０の第二接続部４１と固定部２０の第二側２２が接続される。
【００１９】
第一弾性アーム３０の第一前端部３２は、２つのスリット３４１、３４２と、２つの張り出し片３６、３７とを備えており、接触片３５がこれら２つの張り出し片３６、３７の中央に位置する。このほか、２つの張り出し片３６、３７はそれぞれ固定孔３６１、３７１を備え、絶縁部材５０の２つの固定突起５７１、５７２がこれら２つの固定孔３６１、３７１に穿通されることで、絶縁部材５０が第一弾性アーム３０上に着脱自在に固定される。
【００２０】
図２に本発明の電池弾性接触端子１０をカメラ９０に応用した立体図を示す。図３に２つの電池８０ａ、８０ｂをカメラ９０に組み込むときの立体図を示す。そのうち、電池８０ａ、８０ｂはそれぞれ電池弾性接触端子１０ａ、１０ｂと接触し、当然、電池８０ａ、８０ｂの上方にも電池弾性接触端子が設置されるが、図２及び図３には示さない。
【００２１】
電池８０ａ、８０ｂはそれぞれ突出した正極８１と平らな負極８２を有し、本実施例についていえば、電池８０ａ、８０ｂは一般的な従来の標準的な電池（規格はＡ、ＡＡ、ＡＡＡ或いはＡＡＡＡ）とする。ここで注意が必要なのは、電池弾性接触端子１０ａは接触電池８０ａの平らな負極８２と接触を形成すべく設計されているため、電池弾性接触端子１０ａには絶縁部材５０がなく、電池弾性接触端子１０ｂは電池８０ｂの突出した正極８１と接触を形成すべく設計されているため、電池弾性接触端子１０ｂには絶縁部材５０がある点である。
【００２２】
絶縁部材５０の作用は、図４及び図５に示す通りである。図４に示すように、使用者が電池８０ｂを入れるとき、当初の設計は突出した正極８１を下向きに入れて電池弾性接触端子１０ｂに接触させ、突出した正極８１が接触片３５に接触するようにするが、図１を参照すると分かるように、これは絶縁部材５０が穿通エリア５１を含んでおり、この穿通エリア５１の位置が接触片３５の位置を含むからである。
【００２３】
図５に示すように、使用者が電池８０ｂを組み込むときに入れる方向を誤った場合、電池８０ｂの平らな負極８２が電池弾性接触端子１０ｂに接触するが、絶縁部材５０の隔離により、電池８０ｂの平らな負極８２は接触片３５に接触することができないため、電池８０ｂは電池弾性接触端子１０ｂと電気的接続を形成することができない。本発明の設計により、使用者が電池を入れる方向を誤っても、電池の平らな負極８２は電池弾性接触端子１０ｂと電気的接続が形成できなくなる。
【００２４】
図６及び図７に電池８０の突出した正極８１と本発明の電池弾性接触端子１０が接触する動作を表す側面図を示す。本発明の利点をはっきりと示すため、図６及び図７には絶縁部材５０を示さない。突出した正極８１が接触片３５に接触する過程において（図６から図７へ）、接触片３５が突出した正極８１上に付着した雑物（酸化した金属物質など、これら雑物は導電性に影響する）を掻き落とすことができる。第二弾性アーム４０の作用は、第一弾性アーム３０の弾性を強化し接触片３５と電池８０の電気的接続を確保するほか、接触片３５が雑物を掻き落とすとき、その掻き落とす力を強化することができる。図１を併せて参照すると分かるように、２つのスリット３４１、３４２の設計により、接触片３５が掻き落としを行なうときより優れた効果が得られる。このほか、注意が必要なのは、図３を併せて参照すると分かるように、電池８０ａの平らな負極８２が接触片３５に接触するとき、電池弾性接触端子１０ａには絶縁部材５０がないため、接触片３５が同様に平らな負極８２上の雑物を掻き落とすことができる点である。
【００２５】
上述のように、本発明はその目的、手段及び効果のどれをとっても従来技術と異なる特徴を示しており、早くに特許を認めていただき、社会の役に立つことができるよう願うものである。上述の実施例は説明のために挙げた例であり、本発明が主張する権利範囲は特許請求の範囲に基づくものとし、上述の実施例に制限されないことに注意が必要である。
【図面の簡単な説明】
【００２６】
【図１】本発明の電池弾性接触端子の立体分解図である。
【図２】本発明をカメラに応用した立体図である。
【図３】本発明をカメラに応用したときの電池を入れる動作を示す立体図である。
【図４】電池の突出した正極と本発明の電池弾性接触端子の正面図である。
【図５】電池の平らな負極と本発明の電池弾性接触端子の正面図である。
【図６】電池の突出した正極と本発明の電池弾性接触端子の接触の動作を示す側面図である。
【図７】電池の突出した正極と本発明の電池弾性接触端子の接触の動作を示す側面図である。
【符号の説明】
【００２７】
１０  電池弾性接触端子
２０  固定部
２１  第一側
２２  第二側
３０  第一弾性アーム
３１  第一接続部
３２  第一前端部
３４１、３４２  スリット
３５  接触片
３６、３７  張り出し片
３６１、３７１  固定孔
４０  第二弾性アーム
４１  第二接続部
４２  第二前端部
５０  絶縁部材
５１  穿通エリア
５７１、５７２  固定突起
８０、８０ａ、８０ｂ  電池
８１  突出した正極
８２  平らな負極
９０  カメラ
【図１】
2008060052.tif 000003
【図２】
2008060052.tif 000004
【図３】
2008060052.tif 000005
【図４】
2008060052.tif 000006
【図５】
2008060052.tif 000007
【図６】
2008060052.tif 000008
【図７】
2008060052.tif 000009